(57)【特許請求の範囲】
【請求項１】
それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な第１の操作手段と、１つのスイッチと複数の負荷との対応付けに用いる機能を選択する第２の操作手段と、第１の操作手段の操作に応じた内容が表示される第１の表示手段と、第２の操作手段の操作に応じた内容が表示される第２の表示手段と、第２の操作手段で選択した機能を用いて第１の操作手段により設定したスイッチと負荷との対応関係を伝送ユニットに転送する手段とを備え、第１の表示手段および第２の表示手段がそれぞれ複数種類の情報を文字または図形を用いて一括して表示可能な表示器からなり、第２の操作手段の操作毎に第２の表示手段に選択肢が循環的に表示され、１つの選択肢においては、第２の操作手段と第２の表示手段とを組み合わせて実現される機能が、複数の負荷を一括して制御するためのスイッチのアドレスを選択するとともに一括制御すべき負荷を選択する機能と、一括して同じ制御状態に設定しようとする範囲をアドレス範囲として指定可能にする機能とから選択できることを特徴とする遠隔監視制御システムのセレクタスイッチ。
【請求項２】
前記第１の表示手段および前記第２の表示手段が文字または図形を表示する１つの表示器により形成され、前記第１の操作手段および前記第２の操作手段が表示器の画面に重ね合わされたタッチパネルであって表示器の表示内容に応じた機能が付与されることを特徴とする請求項１記載の遠隔監視制御システムのセレクタスイッチ。
【請求項３】
前記第１の操作手段および前記第２の操作手段が、薄肉のメンブレンシートに設けた膨出部内にスイッチの接点となる電極を配置して構成されて成ることを特徴とする請求項１記載の遠隔監視制御システムのセレクタスイッチ。
【請求項４】
前記第１の操作手段が前記スイッチと等価な複数個の選択部を備え、隣り合う各一対の選択部が１本の直線の両側に交互に並ぶように前記直線に沿って配列された複数個の選択部が千鳥状に配置されることを特徴とする請求項１ないし請求項３のいずれか１項に記載の遠隔監視制御システムのセレクタスイッチ。
【発明の詳細な説明】
【０００１】
【発明の属する技術分野】
本発明は、負荷を遠方から監視制御する遠隔監視制御システムに用いられ、遠隔監視制御システムに含まれる負荷全体について動作の監視や指示を可能とし、かつ複数個の負荷を１つのスイッチで一括して制御しようとするときにスイッチへの負荷の割付を可能とする遠隔監視制御システムのセレクタスイッチに関するものである。
【０００２】
【従来の技術】
従来より、図１０に示すように、伝送ユニット４１に２線式の信号線Ｌｓを介して複数個の端末器４２，４３を接続し、端末器（以下では、操作端末器という）４２に設けたスイッチＳＷの操作に応じて端末器（以下では、制御端末器という）４３に設けたリレー（図示せず）を介して負荷Ｌを制御するようにした遠隔監視制御システムが提供されている。操作端末器４２および制御端末器４３にはそれぞれアドレスが設定され、スイッチＳＷの操作による監視データが操作端末器４２に入力されると伝送ユニット４１に監視データが伝送され、伝送ユニット４１では監視データを受け取ると、アドレスによって操作端末器４２との対応関係が設定された制御端末器４３に対して監視データに対応した制御データを伝送し、制御端末器４３を介して負荷Ｌを制御する。伝送ユニット４１、操作端末器４２、制御端末器４３はいずれもマイクロプロセッサを主構成としている。
【０００３】
伝送ユニット４１は信号線Ｌｓに対して、図１１（ａ）（ｂ）のような形式の伝送信号Ｖｓを送出する。すなわち、伝送信号Ｖｓは、信号送出開始を示すスタートパルス信号ＳＹ、信号モードを示すモードデータ信号ＭＤ、操作端末器４２や制御端末器４３を各別に呼び出すためのアドレスデータを伝送するアドレスデータ信号ＡＤ、負荷を制御するための制御データを伝送する制御データ信号ＣＤ、伝送エラーを検出するためのチェックサムデータ信号ＣＳ、操作端末器４２や制御端末器４３からの返送信号を受信するタイムスロットである信号返送期間ＷＴよりなる複極（±２４Ｖ）の時分割多重信号であり、パルス幅変調によってデータが伝送されるようになっている。
【０００４】
各操作端末器４２および各制御端末器４３では、信号線Ｌｓを介して受信した伝送信号Ｖｓのアドレスデータがそれぞれに設定されているアドレスデータに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。
【０００５】
また、伝送ユニット４１は、常時は伝送信号Ｖｓに含まれるアドレスデータをサイクリックに変化させて操作端末器４２および制御端末器４３を順次アクセスする常時ポーリングを行う常時ポーリング手段が設けられる。常時ポーリングの際には、伝送信号Ｖｓに含まれるアドレスデータが一致した操作端末器４２または制御端末器４３では、伝送信号Ｖｓに含まれる制御データを取り込むことになる。一方、伝送ユニット１には、いずれかの操作端末器４２から発生した図１１（ｃ）のような割込信号Ｖｉを受信したときに割込信号を発生した操作端末器４２を検出した後、その操作端末器４２にアクセスして監視データを返送させる割込ポーリング手段も設けられている。
【０００６】
すなわち、伝送ユニット４１では、常時は常時ポーリング手段によってアドレスデータをサイクリックに変更した伝送信号Ｖｓを信号線Ｌｓに送出し、操作端末器４２から発生した割込信号Ｖｉを伝送信号Ｖｓのスタートパルス信号ＳＹに同期して検出すると、割込ポーリング手段によって伝送ユニット４１からモードデータ信号ＭＤを割込ポーリングモードとした伝送信号Ｖｓを送出する。割込信号Ｖｉを発生した操作端末器４２は、割込ポーリングモードの伝送信号Ｖｓのアドレスデータの上位ビットが一致していると、その伝送信号Ｖｓの信号返送期間ＷＴに同期して操作端末器４２に設定されているアドレスデータの下位ビットを返信データとして返送する。このようにして伝送ユニット４１では割込信号Ｖｉを発生した操作端末器４２のアドレスを獲得し、獲得したアドレスを用いて操作端末器４２をアクセスすることによって、操作端末器４２に接続されたスイッチＳＷの操作状態に対応した操作データを返信データとして受け取る。また、伝送ユニット４１における割込ポーリング手段では、割込信号Ｖｉを発生した操作端末器４２から下位アドレスが返送されなければ、上位アドレスを変更して割込ポーリングモードの伝送信号Ｖｓを再送する。
【０００７】
このようにして、割込信号Ｖｉを発生した操作端末器４２のアドレスを伝送ユニット４１が獲得すると、伝送ユニット４１では操作端末器４２に対して監視データの返送を要求する伝送信号Ｖｓを送出し、操作端末器４２はスイッチＳＷの操作に対応した監視データを伝送ユニット４１に返送する。監視データを受け取った伝送ユニット４１は、アドレスの対応関係によって操作端末器４２にあらかじめ対応付けられている制御端末器４３に対する制御データを生成し、この制御データを含む伝送信号Ｖｓを信号線Ｌｓに送出して制御端末器４３を通して負荷Ｌを制御する。ここに、操作端末器４２と制御端末器４３とのアドレスは、端末器を識別するチャンネルと、スイッチＳＷおよび負荷Ｌの回路を識別する負荷番号とからなり、現状の製品ではチャンネルは６４チャンネル、負荷番号は各チャンネルごとに４回路ずつ設定される。つまり、各操作端末器４２および各制御端末器４３ごとにチャンネルが設定され、各操作端末器４２および各制御端末器４３にはそれぞれ最大で４回路のスイッチＳＷまたは負荷Ｌが接続可能になっている。したがって、合計２５６回路の負荷Ｌが制御可能である。
【０００８】
ところで、この種の遠隔監視制御システムでは、スイッチＳＷと負荷Ｌとを一対一に対応させる個別制御と、１つのスイッチＳＷに複数の負荷Ｌを対応付けて１つのスイッチＳＷの操作で複数の負荷Ｌを一括して制御する一括制御との制御が可能である。また、制御端末器４３が負荷Ｌを調光制御できるように構成されている場合には、操作端末器４２の操作により負荷Ｌを調光制御することができる。一括制御については、複数の負荷Ｌを同じ状態に制御するグループ制御と、複数の負荷Ｌを各別にあらかじめ設定した制御状態にするパターン制御とが可能になっている。このように、各スイッチＳＷは、個別制御、グループ制御、パターン制御、調光制御のいずれかの制御方法で負荷Ｌを制御することになる。操作端末器４２と制御端末器４３とについてアドレス（チャンネル＋負荷番号）の対応関係は、個別制御では一対一対応になり、グループ制御やパターン制御では一対多対応になる。また、調光制御は個別制御の場合と一括制御の場合とがある。
【０００９】
上述のような個別制御や一括制御におけるスイッチＳＷと負荷Ｌとの対応関係は、伝送ユニット４１のメモリに設けた関係データ記憶部に設定される。すなわち、施工時には、各操作端末器４２および各制御端末器４３へのアドレスの設定が終了した後、スイッチＳＷと負荷Ｌとの対応関係を関係データ記憶部に設定することによって、スイッチＳＷの操作に対して所望の負荷Ｌを制御することが可能になる。ここに、個別制御におけるスイッチＳＷと負荷Ｌとの対応関係は同アドレスが対応するようにしてあり、操作端末器４２および制御端末器４３にアドレスを設定すればスイッチＳＷと負荷Ｌとの対応関係は自動的に設定されるようになっている。ただし、操作端末器４２と制御端末器４３とは端末器種別のデータによって区別される。一方、一括制御におけるスイッチＳＷと負荷Ｌとの対応関係を設定する作業は、スイッチＳＷを用いて行うと煩雑になるから、一括制御におけるスイッチＳＷと負荷Ｌとの対応関係を関係データ記憶部に設定する作業を容易にするために、従来から図１２に示す構成のセレクタスイッチ５０が提供されている。
【００１０】
図示するセレクタスイッチ５０は、伝送ユニット４１によって管理可能な（つまり関係データ記憶部に登録可能な）回路数分のスイッチＳＷに割り当てることができる選択スイッチＳＳを備える。ただし、上述したように伝送ユニット４１では２５６回路のスイッチＳＷに対応可能であるから、２５６個の選択スイッチＳＳを設けるとセレクタスイッチ５０が非常に大型化することになる。そこで、図示するセレクタスイッチ５０では、１チャンネル当たり４個の選択スイッチＳＳとして、１６チャンネル分で６４個の選択スイッチＳＳを設け、各選択スイッチＳＳをそれぞれ４チャンネルに対応付けている。各選択スイッチＳＳには、２個の発光ダイオードＬＤ１，ＬＤ２からなる動作表示部５１がそれぞれ対応付けられている。また、１チャンネル分の４個の選択スイッチＳＳごとにそれぞれ１つのチャンネル表示部５２が設けられている。各チャンネル表示部５２には、それぞれ４個の数字が表記され、そのうちの１個ずつが択一的に点灯表示されるようになっている。ここに、チャンネル表示部５２は各数字に対応した複数個の面発光ダイオードにより構成されている。このようにして１つの選択スイッチＳＳを４チャンネルに対応させている。各選択スイッチＳＳに４チャンネルのうちのどのチャンネルを対応させるかは、セレクタスイッチ５０の器体６０の前面側に設けた扉６１内に配置されているチャンネル切換スイッチＳ２１により選択される。つまり、チャンネル切換スイッチＳ２１を１回押操作するたびに、０〜１５、１６〜３１、３２〜４７、４８〜６３の数字がチャンネル表示部５２に順に点灯表示される。このような構成によって６４個の選択スイッチＳＳで２５６回路分のスイッチＳＷに相当する機能を実現することができる。
【００１１】
セレクタスイッチ５０における選択スイッチＳＳはすべてが個別制御用のスイッチＳＷに相当し、選択スイッチＳＳを用いてもパターン制御やグループ制御のような一括制御を行うことはできない。つまり、パターン制御やグループ制御に用いるスイッチＳＷには、信号線Ｌｓに接続された操作端末器４２に監視データを与えるスイッチＳＷを用いる。そこで、どのスイッチＳＷをパターン制御用やグループ制御用とするかを選択するために、器体６０の扉６１内にアドレス選択スイッチＳ２２が配置されている。アドレス選択スイッチＳ２２は、３桁のアドレスを各桁ごとに選択し、選択されたアドレスは７セグメントの発光ダイオードからなる表示部５３に表示される。
【００１２】
また、パターン制御にするかグループ制御にするかは、パターン選択スイッチＳ２３、グループ選択スイッチＳ２４のいずれかを操作することにより選択される。すなわち、パターン制御やグループ制御において一括制御する負荷ＬをスイッチＳＷに対応付けるには、まずパターン制御かグループ制御かの別をパターン選択スイッチＳ２３とグループ選択スイッチＳ２４との一方を操作することによって選択し、さらにパターンアドレスまたはグループアドレスを設定するためにアドレス選択スイッチＳ２２によりアドレスを選択する。その後、選択スイッチＳＳなどを用いて一括制御すべき負荷Ｌを選択するのである。
【００１３】
セレクタスイッチ５０には、オールオンスイッチＳ１２、オールオフスイッチＳ１３、オールエリア外スイッチＳ１４も設けられている。オールオンスイッチＳ１２はすべての負荷Ｌをオンにする機能を有する。したがって、パターン制御の設定の際にオンにする負荷Ｌが多いときには、オールオンスイッチＳ１２の操作後にオフにすべき負荷Ｌについてのみ選択スイッチＳＳで選択することによって、選択スイッチＳＳの操作回数を少なくすることができる。オールオンスイッチＳ１２はグループ制御の設定の際にも用いることができる。また、オールオフスイッチＳ１３はすべての負荷Ｌをオフにする機能を有し、パターン制御の設定の際にオフにする負荷Ｌが多いときに利用することができる。オールエリア外スイッチＳ１４はグループ制御の設定の際にすべての負荷Ｌをグループ制御の制御対象から除外するものである。
【００１４】
セレクタスイッチ５０は上述のように一括制御の設定を行うほか、選択スイッチＳＳを個別制御の際の制御用としても用いることが可能である。設定用とするか制御用とするかの切換は、スライドスイッチからなるモード切換スイッチＳ２６により行う。
【００１５】
セレクタスイッチ５０によって設定された一括制御の内容はセレクタスイッチ５０に設けたメモリに一旦格納されるが、実際に負荷Ｌの制御に用いるには伝送ユニット４１の関係データ記憶部に転送しなければならない。そこで、セレクタスイッチ５０には設定したデータを伝送ユニット４１に伝送するように指示する出力スイッチＳ２７が設けられる。また、関係データ記憶部の設定内容を変更するような場合には、伝送ユニット４１の関係データ記憶部に設定されているデータを取り込んで修正すれば設定作業が容易になるから、関係データ記憶部からセレクタスイッチ５０にデータの転送を指示するための入力スイッチＳ２８も設けられる。さらに、接続ミスや操作ミスによって表示部５３にエラーが表示される場合には、リセットスイッチＳ２９を操作してセレクタスイッチ５０の内部状態を初期化することができる。
【００１６】
上述したパターン選択スイッチＳ２３、グループ選択スイッチＳ２４、出力スイッチＳ２７、入力スイッチＳ２８には、操作時に点灯する発光ダイオードからなる表示部５４が付設され、操作によって選択された状態が継続していることを示すようになっている。
【００１７】
ところで、上述したセレクタスイッチ５０に用いられている選択スイッチＳＳ、オールオンスイッチＳ１２、オールオフスイッチＳ１３、オールエリア外スイッチＳ１４、チャンネル切換スイッチＳ２１、アドレス選択スイッチＳ２２、パターン選択スイッチＳ２３、グループ選択スイッチＳ２４、出力スイッチＳ２７、入力スイッチＳ２８、リセットスイッチＳ２９には、いずれも図１３に示すようにタクトスイッチ（ストロークの小さい小型の押釦スイッチ）２１が用いられている。タクトスイッチ２１はプリント基板からなる回路基板２２に実装され、器体６０の前面を覆っているカバー２３に挿通されたハンドル２４の押操作によって開閉される。また、カバー２３の前面（図１３の上面）にはタクトスイッチ２１の機能などに関連した表記を施した銘板２５が重ねられる。
【００１８】
【発明が解決しようとする課題】
上述したセレクタスイッチ５０は、それぞれ発光ダイオードからなる動作表示部５１、チャンネル表示部５２、表示部５３、表示部５４を備えるものであり、表示部５３を除けば点灯か消灯かに応じて情報を表している。したがって、点灯・消灯の意味を説明する文字を付記する必要があり、銘板の限られた面積内に多数の文字が記載され、文字が小さくなって表示の意味がわかりにくくなるという問題が生じる。また、スイッチの操作部に関連する表示部はスイッチの近傍に設けられることになるから、器体６０の前面において各種情報が分散して表示されることになり、表示の意味が理解しにくくなる。
【００１９】
本発明は上記事由に鑑みて為されたものであり、その目的は、複数種類の表示を１つにまとめることによって表示情報の内容を理解しやすくした遠隔監視制御システムのセレクタスイッチを提供することにある。
【００２０】
【課題を解決するための手段】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な第１の操作手段と、１つのスイッチと複数の負荷との対応付けに用いる機能を選択する第２の操作手段と、第１の操作手段の操作に応じた内容が表示される第１の表示手段と、第２の操作手段の操作に応じた内容が表示される第２の表示手段と、第２の操作手段で選択した機能を用いて第１の操作手段により設定したスイッチと負荷との対応関係を伝送ユニットに転送する手段とを備え、第１の表示手段および第２の表示手段がそれぞれ複数種類の情報を文字または図形を用いて一括して表示可能な表示器からなり、第２の操作手段の操作毎に第２の表示手段に選択肢が循環的に表示され、１つの選択肢においては、第２の操作手段と第２の表示手段とを組み合わせて実現される機能が、複数の負荷を一括して制御するためのスイッチのアドレスを選択するとともに一括制御すべき負荷を選択する機能と、一括して同じ制御状態に設定しようとする範囲をアドレス範囲として指定可能にする機能とから選択できるものである。この構成によれば、第１の表示手段および第２の表示手段となる表示器にはそれぞれ複数種類の情報が一括して表示されるから、各スイッチごとに個別に表示部を設けていた従来構成に比較すると、情報を一括して見ることができて視認性が高くなる。しかも、文字または図形による表示であるから、別途に注釈を必要とせず表示された内容を見れば表示されている情報を容易に認識することができる。つまり、不要な情報を見ることなく動作確認が可能になる。
【００２１】
請求項２の発明は、請求項１の発明において、前記第１の表示手段および前記第２の表示手段が文字または図形を表示する１つの表示器により形成され、前記第１の操作手段および前記第２の操作手段が表示器の画面に重ね合わされたタッチパネルであって表示器の表示内容に応じた機能が付与されるものである。この構成によれば、タッチパネルを用いることによって文字または図形の表示されている領域が操作手段として用いられるから、操作手段の意味を直感的に認識することができ、しかも操作手段と表示手段とを同じ場所に配置できるから、スペースを有効に利用することができ、操作手段を大きくして操作性を向上させたり、表示手段に表示される文字や図形を大きくして視認性を高めたり、あるいはまた小型化したりすることが可能になる。
【００２２】
請求項３の発明は、請求項１の発明において、前記第１の操作手段および前記第２の操作手段が、薄肉のメンブレンシートに設けた膨出部内にスイッチの接点となる電極を配置して構成されて成るものである。この構成によれば、タクトスイッチを用いていた従来構成に比較すると部品点数が少なくなり、またタクトスイッチの操作部を取り付けるのに必要であった穴明け加工が不要になって組立作業が容易になる。
【００２３】
請求項４の発明は、請求項１ないし請求項３の発明において、前記第１の操作手段が前記スイッチと等価な複数個の選択部を備え、隣り合う各一対の選択部が１本の直線の両側に交互に並ぶように前記直線に沿って配列された複数個の選択部が千鳥状に配置されるものである。この構成によれば、選択部を一直線上に配列する場合に比較すると、隣り合う選択部間の間隔を広げることができるから、選択部の操作に際して誤って隣りの選択部に触れる可能性が少なくなり、誤操作の可能性を低減することができる。
【００２４】
【発明の実施の形態】
（第１の実施の形態）
本実施形態は、図１に示すように、従来構成のセレクタスイッチ５０において扉６１内に配置されていた各種スイッチに対応する表示部（表示部５３、表示部５４）の表示内容を液晶表示器からなる１つの表示器１１に表示するとともに、従来構成における動作表示部５１およびチャンネル表示部５２の表示内容を液晶表示器からなる表示器１２に表示するようにしたものである。ここに、表示器１２はチャンネルごとに設けてあり、合計１６個の表示器１２が設けられている。また、表示器１１，１２にはともにドットマトリクス型のものを用いている。本実施形態では、オールオンスイッチＳ１２、オールオフスイッチＳ１３、オールエリア外スイッチＳ１４、出力スイッチＳ２７、入力スイッチＳ２８、リセットスイッチＳ２９は設けず、アドレス選択スイッチＳ２２に代えてテンキーＫ１１を設けてある。さらに、モード切換スイッチＳ２６はスライドスイッチに代えて押操作されるモードキーＫ１２としてある。オールオンスイッチＳ１２、オールオフスイッチＳ１３、オールエリア外スイッチＳ１４、出力スイッチＳ２７、入力スイッチＳ２８で実現されていた機能は表示器１１の画面上で選択可能としてあり、表示器１１の画面上では従来構成では実現されていなかった機能も選択可能になっている。さらに、本実施形態では調光制御を行う制御端末器４３にも対応可能としてある。
【００２５】
モードキーＫ１２を押操作すれば、図２（ａ）〜（ｃ）のように複数の選択肢が表示器１１に循環的に表示される。ここに、選択肢のうちの１つは反転表示される（図では斜線部で示してある）。表示器１１の側方には上下の矢印キーＫ１３が設けられており、矢印キーＫ１３を押操作すれば選択肢の反転表示の位置が上下に移動する。表示器１１の側方には戻りキーＫ１４および実行キーＫ１５も配置され、所望の選択肢が反転表示されている状態で実行キーＫ１５を押操作すれば、反転表示されていた選択肢の内容が選択される。たとえば、図２（ｂ）のように「Ｐ・Ｇ編集」が反転表示されているときに実行キーＫ１５を押操作すれば、図２（ｄ）の画面に移行し、図２（ｂ）において「Ｐ・Ｇ入力」が反転表示されているときに実行キーＫ１５を押操作すれば図２（ｅ）の画面に移行する。図２（ｄ）の画面では、テンキーＫ１１の上に配列してある選択キーＫ１６を用いて、従来構成におけるパターン選択スイッチＳ２３、グループ選択スイッチＳ２４などの機能を実現し、またテンキーＫ１１を用いて従来構成のアドレス選択スイッチＳ２２に相当する機能を実現する。さらに、図２（ｄ）の画面上では、「オールオン」「オールオフ」「オールエリア外」等を選択することができ、この画面によって、オールオンスイッチＳ１２、オールオフスイッチＳ１３、オールエリア外スイッチＳ１４の機能が実現される。また、図２（ｅ）の画面では、パターン制御の際に一括して同じ制御状態に設定しようとする範囲をアドレス範囲として指定可能になっている。さらに、図２（ｃ）の画面で「初期設定」を選択すれば、図２（ｆ）の画面に移行し、従来構成における入力スイッチＳ２８、出力スイッチＳ２９に相当する機能が実現される。さらに、各種キーの操作時に操作音を発生するか否かの選択などが可能になっている。上述のように表示器１１の画面内容は階層化されており、戻りキーＫ１４の押操作毎に一つ上の階層の画面に戻ることが可能になっている。このように、キーＫ１１〜Ｋ１６は第２の操作手段として機能し、表示器１１は第２の表示手段として機能する。
【００２６】
一方、各表示器１２には４個ずつの選択キーＫ１７が対応付けられており、図３（ａ）のように、表示器１２には４個１組の選択キーＫ１７に対応するチャンネルを表示することができる。つまり、選択キーＫ１７は従来構成における選択スイッチＳＳに相当する機能を有する。表示器１２は１６個であるが６４チャンネルまで対応可能とするために、各表示器１２には４個のチャンネルを択一的に表示する。器体６０の前面において表示器１２が配列されている領域の下部には、各表示器１２に表示する４個のチャンネルを選択するためのページキーＫ１８が設けられている。つまり、ページキーＫ１８を押操作することによって、表示器１２に表示されるチャンネルを切り換えることができる。表示器１２には４個の選択キーＫ１７に対応して「○」と「×」との記号を表示する領域が設けられ、「○」により負荷のオンを示し、「×」により負荷のオフを示す。つまり、これらの記号は従来構成における動作表示部５１の機能を実現している。このように、表示器１２によって従来構成における動作表示部５１とチャンネル表示部５２との機能が実現される。図３（ｂ）〜（ｄ）は選択キーＫ１７を、それぞれ調光制御、パターン制御、グループ制御に割り付けた場合の表示例を示している。この場合、表示器１１には４個の選択キーＫ１７が対応するから、たとえば、パターン制御であればパターン番号が０１〜０４などのスイッチに対応することになる（図３（ｃ）参照）。しかして、選択キーＫ１７は第１の操作手段として機能し、表示器１２は第１の表示手段として機能する。
【００２７】
図から明らかなように、本実施形態では選択キーＫ１７を横方向の一直線上に配列するのではなく、図４のように、左右に隣り合う選択キーＫ１７が上下にずれて位置するように配列してある。つまり、左端の選択キーＫ１７に対してその右隣りの選択キーＫ１７は上側に配置され、さらに右隣りの選択キーＫ１７は左端の選択キーＫ１７と同じ上下位置に配置され、右端の選択キーＫ１７は左端の選択キーＫ１７の上側に配置されることになる。言い換えると、選択キーＫ１７は千鳥状に配列されている。このような配置を採用したことによって、図５（ａ）（ｂ）のように選択キーＫ１７を左右方向の一直線上に配列する場合に比較すると、左右方向の幅を変えることなく隣り合う選択キーＫ１７の間の距離を大きくすることができ、左右方向の限られた寸法内に選択キーＫ１７を配置する場合でも押し間違える可能性を低減することができる。また、図５（ｂ）のように選択キーＫ１７の間隔を大きくするために、選択キーＫ１７の面積を小さくする必要もない。
【００２８】
本実施形態において用いる各種キーＫ１１〜Ｋ１８は、図６に示すように、銘板として器体６０のカバー２３の前面に貼着されるメンブレンシート２６に一体に設けられている。すなわち、合成樹脂シートからなるメンブレンシート２６の一部に前方へ突出する膨出部２６ａを形成し、膨出部２６ａに対応させてスイッチの接点となる電極２６ｂ，２６ｃを設けている。メンブレンシート２６は２枚のシートを重ね合わせて形成され、一方のシートに不連続部分を有する固定側の電極２６ｂを設け、他方のシートに設けた膨出部２６ａに可動側の電極２６ｃを設け、膨出部２６ａを押下したときに電極２６ｃが電極２６ｂの不連続部分に跨るように接触して電極２６ｂを導通させる構造としてある。このようにメンブレンシート２６に電極２６ｂ，２６ｂを内蔵させてキーＫ１１〜Ｋ１８を構成しているから、従来構成のように器体６０のカバー２３にハンドル２４を挿通するための貫通孔を形成する必要がなく、カバー２３の前面にメンブレンシート２６を貼着すれば器体６０にキーＫ１１〜Ｋ１８を取り付けることができる。すなわち、タクトスイッチを用いていた従来構成に比較すると、部品点数が少なく組立時の工数を削減することができる。メンブレンシート２６の一端部からはリード２７を引き出しておき、フラットケーブルからなるリード２７の先端に設けたコネクタ２８を回路基板２２に接続することによって、キーＫ１１〜Ｋ１８を回路基板２２に電気的に接続することができる。以下では、キーＫ１１〜Ｋ１８を備えるメンブレンシート２６をメンブレンスイッチ３０と呼ぶ。
【００２９】
本実施形態において説明したセレクタスイッチ５０は、図７に示す構成を有している。基本的には、上述した機能を実現するためのプロセッサ７１と、信号線Ｌｓに接続されて伝送ユニット４１との間で伝送信号Ｖｓを授受する機能を実現するためのプロセッサ７２とを備え、両プロセッサ７１，７２の間でデータを共有するためにデュアルポートメモリ（ＲＡＭ）７３を設けてある。これらはデータバス（実線で示す）およびアドレスバス（破線で示す）を介して接続される。プロセッサ７２は伝送ユニット４１との間で伝送信号Ｖｓを授受するための送受信回路７４を備える。また、プロセッサ７２が作業用に用いるＲＡＭ７５およびクロック信号を発生する発振回路７６も設けられる。プロセッサ７１には暴走を監視するウォッチドッグタイマ７７、クロック信号を発生する発振回路７８が設けられる。セレクタスイッチ５０への電源は商用電源から供給され、商用電源をトランス７９で降圧し、電源回路７０で安定化することにより内部電源を得ている。
【００３０】
上述した表示器１１，１２はプロセッサ７１にＬＣＤドライバ回路３１，３２を介して接続されており、メンブレンスイッチ３０の操作はスイッチ入力回路３４を通してプロセッサ７１に入力される。プロセッサ７１の動作を決めるプログラムはフラッシュメモリからなるプログラムメモリ３５に格納され、作成したデータはフラッシュメモリからなるデータメモリ３６に格納される。また、プロセッサ７１には作業用としてのＲＡＭ３７も接続される。さらに、キーＫ１１〜Ｋ１８の操作時における操作音を発生させる際などに用いる圧電ブザー３８および圧電ブザー３８を駆動するブザー回路３８ａや、データメモリ３６に格納したデータのバックアップに用いるＰＣカード３９を接続するためのＰＣカードコネクタ３９ａおよびＰＣカードドライバ回路３９ｂも設けられる。
【００３１】
（第２の実施の形態）
第１の実施の形態では、２種類の表示器１１，１２を設けるとともにメンブレンスイッチ３０を用いていたが、本実施形態では、図８のように、１枚の液晶表示器からなる表示器１３の画面の前面にタッチパネル１４を積層してある。タッチパネル１４を用いることによって第１の実施の形態で用いたキーＫ１１〜Ｋ１８のような操作部を別途に設ける必要がなく、表示器１３に表示された文字や図形に対応する領域を操作部として用いることになるから、器体６０の前面に要する面積を小さくすることができ、結果的に器体６０の小型化につながる。
【００３２】
本実施形態では、従来構成における動作表示部５１およびチャンネル表示部５２の機能と選択スイッチＳＳに対応する機能とを、図８に一覧表の形で示すセレクタ領域Ｄ１で実現している。すなわち、表示器１３に一覧表の形でセレクタ領域Ｄ１を表示し、セレクタ領域Ｄ１の上に並ぶ０〜３１の数値をチャンネルとし、セレクタ領域Ｄ１の左に並ぶ１〜４の数値を負荷番号とすることによって、１画面で１２８個のアドレスを表示している。セレクタ領域Ｄ１においてチャンネルと負荷番号とが交差する個々の升目が第１の実施の形態における選択キーＫ１７に相当する選択部Ｘには「ＯＮ」または「ＯＦＦ」の文字が記入され、これらの文字が動作表示部５１と同様に負荷のオンオフの状態を示す。つまり、タッチパネル１４における選択部Ｘが選択スイッチＳＳに対応しており、選択部Ｘに指などで触れることにより、「ＯＮ」と「ＯＦＦ」との文字が交互に切り換わって表示器１３に表示される。セレクタ領域Ｄ１の上に並ぶ数値は、送り釦Ｂ１，Ｂ２によって切り換えることができ、図８の状態で右の送り釦Ｂ２に触れると３２〜６３の数値が表示され、その状態で左の送り釦Ｂ１に触れると０〜３１の数値が表示される。このようにしてセレクタ領域Ｄ１を２５６個分のアドレスに対応付けることができる。
【００３３】
第１の実施の形態において表示器１２および各種キーＫ１１〜Ｋ１６によって実現していた機能は、本実施形態では表示器１３の左部分のメイン領域Ｄ２によって実現される。つまり、メイン領域Ｄ２にはテンキーＫ１１、選択キーＫ１６などに相当する表示があり、第１の実施の形態と同様に用いることができる。また、メイン領域Ｄ２に表示されている文字や図形に対応する領域でタッチパネル１４に触れることによって選択肢の選択を行うから、モードキーＫ１２、矢印キーＫ１３、実行キーＫ１５などに相当する表示は設けていない。
【００３４】
本実施形態のような表示によって、従来構成として説明したセレクタスイッチ５０と同様の機能を実現することができる。しかも、第１の実施の形態と同様に、各種の機能に対応する表示をセレクタ領域Ｄ１やメイン領域Ｄ２にまとめているから、視認性が高くなりセレクタスイッチ５０の動作状態の確認が容易になる。その上、タッチパネル１４を表示器１３に重ねているから、文字や図形に対応する部位が入力手段として機能し、器体６０の前面の限られた面積を有効利用することができる。
【００３５】
本実施形態の回路構成は、基本的には第１の実施の形態と同様であって、図９に示すように、メンブレンスイッチ３０に代えてタッチパネル１４を設け、タッチパネル入力回路１５を通してタッチパネル１４の入力をプロセッサ７１に入力するようにし、また２種類の表示器１１，１２に代えて１枚の表示器１３を用いるようにし、この表示器１３をＬＣＤドライバ回路１６を介してプロセッサ７１により制御している点のみが相違する。他の構成および動作は第１の実施の形態と同様である。
【００３６】
なお、上述した各実施形態では表示器１１，１２としてドットマトリクス型のものを用いたが、必要に応じてセグメント型のものやキャラクタ型のものを用いることも可能である。また、表示器１１，１２は液晶表示器に限定されるものではなく、平面型の表示器であって上述した機能を実現することができる形式のものであれば、たとえば有機ＥＬ表示器などの他の表示器も用いることができる。
【００３７】
【発明の効果】
請求項１の発明は、それぞれアドレスを備える複数台の端末器が信号線に接続され、信号線に接続された伝送ユニットと前記各端末器との間で時分割多重伝送方式により伝送信号を授受することにより、伝送ユニットに設定されたアドレスの対応関係を用いていずれかの端末器におけるスイッチの操作に対応させて他の端末器による負荷の制御を可能とし、スイッチに対応する１つのアドレスと負荷に対応する複数個のアドレスとの対応関係を伝送ユニットに設定して１つのスイッチの操作により複数の負荷を一括して制御可能とする遠隔監視制御システムに用いられるセレクタスイッチであって、伝送ユニットが扱うアドレス数分のスイッチと等価な第１の操作手段と、１つのスイッチと複数の負荷との対応付けに用いる機能を選択する第２の操作手段と、第１の操作手段の操作に応じた内容が表示される第１の表示手段と、第２の操作手段の操作に応じた内容が表示される第２の表示手段と、第２の操作手段で選択した機能を用いて第１の操作手段により設定したスイッチと負荷との対応関係を伝送ユニットに転送する手段とを備え、第１の表示手段および第２の表示手段がそれぞれ複数種類の情報を文字または図形を用いて一括して表示可能な表示器からなり、第２の操作手段の操作毎に第２の表示手段に選択肢が循環的に表示され、１つの選択肢においては、第２の操作手段と第２の表示手段とを組み合わせて実現される機能が、複数の負荷を一括して制御するためのスイッチのアドレスを選択するとともに一括制御すべき負荷を選択する機能と、一括して同じ制御状態に設定しようとする範囲をアドレス範囲として指定可能にする機能とから選択できるものであり、第１の表示手段および第２の表示手段となる表示器にはそれぞれ複数種類の情報が一括して表示されるから、各スイッチごとに個別に表示部を設けていた従来構成に比較すると、情報を一括して見ることができて視認性が高くなるという利点がある。しかも、文字または図形による表示であるから、別途に注釈を必要とせず表示された内容を見れば表示されている情報を容易に認識することができる。つまり、不要な情報を見ることなく動作確認が可能になる。
【００３８】
請求項２の発明は、請求項１の発明において、前記第１の表示手段および前記第２の表示手段が文字または図形を表示する１つの表示器により形成され、前記第１の操作手段および前記第２の操作手段が表示器の画面に重ね合わされたタッチパネルであって表示器の表示内容に応じた機能が付与されるものであり、タッチパネルを用いることによって文字または図形の表示されている領域が操作手段として用いられるから、操作手段の意味を直感的に認識することができ、しかも操作手段と表示手段とを同じ場所に配置できるから、スペースを有効に利用することができ、操作手段を大きくして操作性を向上させたり、表示手段に表示される文字や図形を大きくして視認性を高めたり、あるいはまた小型化したりすることが可能になるという利点がある。
【００３９】
請求項３の発明は、請求項１の発明において、前記第１の操作手段および前記第２の操作手段が、薄肉のメンブレンシートに設けた膨出部内にスイッチの接点となる電極を配置して構成されて成るものであり、タクトスイッチを用いていた従来構成に比較すると部品点数が少なくなり、またタクトスイッチの操作部を取り付けるのに必要であった穴明け加工が不要になって組立作業が容易になる。
【００４０】
請求項４の発明は、請求項１ないし請求項３の発明において、前記第１の操作手段が前記スイッチと等価な複数個の選択部を備え、隣り合う各一対の選択部が１本の直線の両側に交互に並ぶように前記直線に沿って配列された複数個の選択部が千鳥状に配置されるものであり、選択部を一直線上に配列する場合に比較すると、隣り合う選択部間の間隔を広げることができるから、選択部の操作に際して誤って隣りの選択部に触れる可能性が少なくなり、誤操作の可能性を低減することができるという利点がある。
【図面の簡単な説明】
【図１】本発明の第１の実施の形態を示す正面図である。
【図２】同上の動作説明図である。
【図３】同上の動作説明図である。
【図４】同上の選択キーの配置を示す要部正面図である。
【図５】比較例を示す要部正面図である。
【図６】同上に用いるメンブレンスイッチを示す断面図である。
【図７】同上のブロック図である。
【図８】本発明の第２の実施の形態を示す正面図である。
【図９】同上のブロック図である。
【図１０】遠隔監視制御システムの構成例を示す図である。
【図１１】同上の動作説明図である。
【図１２】従来例を示す正面図である。
【図１３】同上に用いる選択スイッチを示す断面図である。
【符号の説明】
１１，１２  表示器
１３  表示器
１４  タッチパネル
２６  メンブレンシート
２６ａ  膨出部
２６ｂ，２６ｃ  電極
４１  伝送ユニット
４２  操作端末器
４３  制御信号線
７４  送受信回路
Ｂ１，Ｂ２  送り釦
Ｄ１  セレクタ領域
Ｄ２  メイン領域
Ｋ１１  テンキー
Ｋ１２  モードキー
Ｋ１３  矢印キー
Ｋ１４  戻りキー
Ｋ１５  実行キー
Ｋ１６  選択キー
Ｋ１７  選択キー（選択部）
Ｋ１８  ページキー
Ｌ  負荷
Ｌｓ  信号線
ＳＷ  スイッチ
【図１】
0003648595.tif 000002
【図２】
0003648595.tif 000003
【図３】
0003648595.tif 000004
【図４】
0003648595.tif 000005
【図５】
0003648595.tif 000006
【図６】
0003648595.tif 000007
【図７】
0003648595.tif 000008
【図８】
0003648595.tif 000009
【図９】
0003648595.tif 000010
【図１０】
0003648595.tif 000011
【図１１】
0003648595.tif 000012
【図１２】
0003648595.tif 000013
【図１３】
0003648595.tif 000014